(57)【要約】【課題】フィルムタッチパネルセンサーのセンサー部及び引き回し配線を、保護するために使用される保護フィルムを剥がす時に、センサー部及び引き回し配線に対するダメージを受けないフィルムタッチパネルセンサーを提供する。【解決手段】フィルム表面のビューエリアにメッシュ状金属配線７を、ビューエリア外に引き回し配線２を備えたフィルムタッチパネルセンサー１０であって、前記ビューエリア外の引き回し配線２を設けていないエリアに、前記メッシュ状金属配線７および引き回し配線２と接触しないように、ダミー金属パターン３を設けたことを特徴とするフィルムタッチパネルセンサー１０。【選択図】図１
2016004345.tif 000002
【特許請求の範囲】
【請求項１】
フィルム基材表面のビューエリアにメッシュ状金属配線を、ビューエリア外に引き回し配線を備えたフィルムタッチパネルセンサーであって、
前記ビューエリア外の引き回し配線を設けていないエリアに、前記メッシュ状金属配線および引き回し配線と接触しないように、ダミー金属パターンを設けたことを特徴とするフィルムタッチパネルセンサー。
【請求項２】
前記金属配線が銅配線であることを特徴とする請求項１に記載のフィルムタッチパネルセンサー。
【請求項３】
前記フィルム基材表面と、前記メッシュ状金属配線および前記引き回し配線との間に接着層を設けたことを特徴とする請求項１または請求項２に記載のフィルムタッチパネルセンサー。
【発明の詳細な説明】
【技術分野】
【０００１】
本発明は、座標入力手段として使用される静電容量型タッチパネルに係り、特には電極支持体をフィルムとし、ダミー金属パターンを配置したフィルムタッチパネルセンサーに関する。
【背景技術】
【０００２】
近年、携帯電話機や、携帯情報端末、カーナビゲーションシステムを始め、様々な電子機器の操作部にタッチパネル型入力装置（タッチパネルセンサー、単にセンサー）が採用されている。
【０００３】
タッチパネルセンサーは、液晶表示装置、有機ＥＬ装置等の表示用パネルの表示面上に、指先やペン先の接触位置を検出する入力装置として貼り合わせて使用されるものである。タッチパネルセンサーには、その構造及び検出方式の違いにより、抵抗膜型や静電容量型等の様々なタイプがある。
【０００４】
静電容量方式タッチパネルセンサーには表面型と投影型の２つがある。両方式とも指先と導電膜との間での静電容量の変化を捉えて位置を検出する。指がタッチパネルセンサー表面に近づくだけで静電結合が起きるため、接触前でのカーソル表示のようなことが可能となる。
【０００５】
一方、押さえつけるものは指や指と同等の静電的な導電性のものである必要があるが、静電容量の変化に応じて流れる交流電流は、接触する媒体のインピーダンスにはよらない（特許文献１)。
【０００６】
図４は、一般的なフィルムタッチパネルセンサーを示した平面図であり、フィルム基材４上に、直接センサー部１、引き回し配線２を設けるか、接着層５を介してセンサー部１、引き回し配線２を設けてある。
【０００７】
図５は、図４で示したフィルムタッチパネルセンサーの、Ｂ−Ｂ´線で切断した断面図であり、センサー部１、引き回し配線２を保護のために、金属面に保護フィルムが貼合され、後工程のモジュール化する時には、保護フィルムは剥がされることになる。
【０００８】
フィルムタッチパネルセンサーにおいて、金属配線部と、それ以外のフィルム基材または接着層では、保護フィルムとの密着性が異なり、金属配線部は保護フィルムとの密着性が弱く、フィルム基材または接着層は保護フィルムとの密着性が強い。
【０００９】
そのため、粘着力の弱い保護フィルムを使用した場合には、金属配線部に密着しないため、作業中に剥がれやシワが発生し、加工性に問題がでてしまう。
【００１０】
反対に、剥がれやシワが発生を防ぐために、粘着力が強い保護フィルム６を使用すると、フィルム基材または接着層との密着性が強なりすぎ、保護フィルム６を剥がすことが困難となるといったように、従来設計では、最適な剥離性と密着性を有する保護フィルムの選定が難しい状況にある。
【先行技術文献】
【特許文献】
【００１１】
【特許文献１】特開２００８−２１０８５０号公報
【発明の概要】
【発明が解決しようとする課題】
【００１２】
フィルムタッチパネルセンサーのセンサー部及び引き回し配線を、保護するために使用される保護フィルムを剥がす時に、センサー部及び引き回し配線に対するダメージを受けないフィルムタッチパネルセンサーを提供する。
【課題を解決するための手段】
【００１３】
上記の課題を解決するための手段として、請求項１に記載の発明は、フィルム表面のビューエリアにメッシュ状金属配線を、ビューエリア外に引き回し配線を備えたフィルムタッチパネルセンサーであって、
前記ビューエリア外の引き回し配線を設けていないエリアに、前記メッシュ状金属配線および引き回し配線と接触しないように、ダミー金属パターンを設けたことを特徴とするフィルムタッチパネルセンサーである。
【００１４】
また、請求項２に記載の発明は、前記金属配線が銅配線であることを特徴とする請求項１に記載のフィルムタッチパネルセンサーである。
【００１５】
また、請求項３に記載の発明は、前記フィルム基材表面と、前記メッシュ状金属配線および前記引き回し配線との間に接着層を設けたことを特徴とする請求項１または請求項２に記載のフィルムタッチパネルセンサーである。
【発明の効果】
【００１６】
本発明のダミー金属パターンを設けたフィルムタッチパネルセンサーは、ダミー金属パターンを配置することにより、製造工程におけるキズを防ぐために設ける保護フィルムが均一に密着し、且つ、剥離時には、安易に剥離することが可能となる。
【図面の簡単な説明】
【００１７】
【図１】本発明のダミー金属パターンを設けたフィルムタッチパネルセンサーの平面概念図である。
【図２】本発明のダミー金属パターンを設けた、図１に示したフィルムタッチパネルセンサーのＡ−Ａ´線で切断した断面概念図であり、保護フィルムを密着させた時の状態を示している。
【図３】ダミー金属パターンの形状例を示した概念図である。
【図４】従来のフィルムタッチパネルセンサーの平面概念図である。
【図５】図４に示したフィルムタッチパネルセンサーのＢ−Ｂ´線で切断した断面概念図であり、保護フィルムを密着させた時の状態を示している。
【発明を実施するための形態】
【００１８】
以下本発明を実施するための形態を、図面を用いて詳細に説明する。図１は、本発明のダミー金属パターン３を設けたフィルムタッチパネルセンサー１０の平面図であり、フィルム基材４表面のビューエリアにメッシュ状金属配線７からなるセンサー部１と引き回し配線２を設けるか、接着層５を介してメッシュ状金属配線７からなるセンサー部１と引き回し配線２を設けた構成となっている。
【００１９】
メッシュ状金属配線７からなるセンサー部１と引き回し配線２を設けていないエリアにダミーパターンは設けられており、センサー部１と引き回し配線２とに接触しないように、０．５ｍｍ以上の隙間を開けて、ダミー金属パターン３とし金属を残して形成させた構成となっている。
【００２０】
このとき、ビューエリアのメッシュ状金属配線７幅は３〜１２μｍであり、引き回し配線幅は２０〜１００μｍである、
図２は、図１で示したフィルムタッチパネルセンサー１０の、Ａ−Ａ´線で切断した断面図であり、保護フィルム６を貼りあわせた時の、密着性は、ほぼ金属面と保護フィルム６との密着性となる。
【００２１】
図３は、ダミー金属パターン３の形状例を示しており、ストライプ３ａ、ドット３ｂ、メッシュ３ｃ、Ｘ形３ｄ、スクエアー３ｅ、三角３ｆ等を挙げることができる。
【００２２】
＜金属材料＞
ビューエリアのメッシュ状金属配線、引き回し配線、ダミーパターンは、金属材料等の導電材料を使用することができ、銅、銀、銀合金、ＩＴＯ（Ｉｎｄｉｕｍ  Ｔｉｎ  Ｏｘｉｄｅ）、ＭＡＭ（Ｍｏ／Ａｌ／Ｍｏ）の積層体、ポリエチレンジオキシチオフェン（ＰＥＤＯＴ）、ポリアニリン（ＰＡＮＩ）等の導電性高分子が使用可能であるが、銅が好適に使用される。
【００２３】
＜ダミーパターン＞
ダミーパターンは、ビューエリア外の引き回し配線を設けていないエリアに設けられ、メッシュ状金属配線および引き回し配線と接触しないように、０．５ｍｍ以上の隙間を開けて設けてられる。ダミーパターンはベタパターンとして設けると、銅を用いた場合には、保護フィルムとの接着性が弱く成り過ぎるので、図３に示すようにダミーパターンを変更させることにより、保護フィルムとの接着力を調整することができる。
【００２４】
ストライプ３ａ、メッシュ３ｃは線幅が３〜２０μｍで、線間は１００〜１０００μｍが好適であり、ドット３ｂ、Ｘ形３ｄ、スクエアー３ｅ、三角３ｆはパターン外寸が５０〜５００μｍで、パターン間隔としては５０〜１０００μｍが好適である。
【実施例１】
【００２５】
１００μｍ厚みのＰＥＴフィルム（東レ社製）に、２液硬化型の接着剤を用いて７μｍ厚の接着層を設け、その上に、ラミネート法により７μｍ厚みの銅薄膜を形成し、フォトリソ法によりパターン形成を行った。
【００２６】
ビューエリアは、開口率が４％、線幅が７μｍ、銅配線のピッチが３６０μｍのメッシュ状銅配線で、引き出し用配線の線幅が０．０２ｍｍで、ビューエリア外の引き回し配線を設けていないエリアに、ビューエリア、引き出し用配線２から０．５ｍｍ離して、図３ｃに示した線幅が７μｍで、線間が３６０μｍの格子状の、銅からなるダミー金属パターン３を、エッチングせずに残す形で設け、銅配線の表面抵抗が０．２０Ω／□、静電容量が３ｐＦのフィルム状タッチパネルセンサー１０を作製した。
【００２７】
＜比較例１＞
ダミー設けない以外は、実施例１と同じ条件で比較例１のフィルム状タッチパネルセンサー１０を作製した。
【００２８】
粘着力が、２．０〜３．０Ｎ／２５ｍｍの保護フィルム６：Ｌ−７３２５（日立化成社製）と、粘着力が０．２〜１．０Ｎ／２５ｍｍの保護フィルム６：ＥＣ−７５５（スミロン社製）をそれぞれ、実施例１及び比較例１のフィルム状タッチパネルセンサー１０に貼り付けたが、粘着力が０．２〜１．０Ｎ／２５ｍｍの保護フィルム６では、粘着力が弱く、密着度合いにばらつきがあり、密着不良部があった。
【００２９】
１週間経過させた後に、貼り付けた保護を剥離させたが、保護フィルム：６ＥＣ−７５
５（スミロン社製）は問題なく剥離できたが、比較例１のフィルム状タッチパネルセンサー１０に粘着力が、２．０〜３．０Ｎ／２５ｍｍの保護フィルム６：Ｌ−７３２５（日立化成を貼り付けたものは、接着層５と強力に貼りつき、剥離不良を起こした。
【００３０】
一方、ダミー金属パターン３を設けた実施例１のフィルム状タッチパネルセンサー１０に、粘着力が０．２〜１．０Ｎ／２５ｍｍの保護フィルム６：Ｌ−７３２５（日立化成社製）を貼り付けものは、問題なく剥離でき、密着不良もなく良好な結果が得られた。
【符号の説明】
【００３１】
１・・・センサー部
２・・・引き回し配線
３・・・ダミー金属パターン
４・・・フィルム基材
５・・・接着層
６・・・保護フィルム
７・・・メッシュ状金属配線
１０・・・フィルムタッチパネルセンサー
【図１】
2016004345.tif 000003
【図２】
2016004345.tif 000004
【図３】
2016004345.tif 000005
【図４】
2016004345.tif 000006
【図５】
2016004345.tif 000007